(57)【要約】【課題】接着剤を用いることなく床パネルを床部材上に安定して保持することが可能であり、かつ、床部材に対して床パネルを容易に着脱することが可能なかご床を有するエレベータのかごを得ることを目的とする。【解決手段】かご枠、及びかご枠に支持されたかご床１６を有するかご室１３を有するエレベータのかごにおいて、かご床１６は、敷設面１８ａを上面に有する磁性材料からなる鋼材１７と、永久磁石２７が装着された床パネル２６Ａ，２６Ｂを敷設面１８ａに敷きつめてなる敷設パネル群２５と、を備えている。【選択図】図５
2010126359.tif 000002
【特許請求の範囲】
【請求項１】
かご枠、及び該かご枠に支持されたかご床を有するかご室を備えるエレベータのかごにおいて、
上記かご床は、敷設面を上面に有する磁性鋼材からなる床部材と、
永久磁石が装着された床パネルを上記敷設面に敷きつめてなる敷設パネル群と、
を備えることを特徴とするエレベータのかご。
【請求項２】
上記床パネルは一面を意匠面とするパネル板の他面に一体に上記永久磁石を装着して構成されていることを特徴とする請求項１記載のエレベータのかご。
【請求項３】
上記床パネルは一面を意匠面とする一対のパネル板の他面間に上記永久磁石を介装して一体に構成されていることを特徴とする請求項１記載のエレベータのかご。
【請求項４】
上記敷設パネル群のスライド移動を規制するストッパが上記床部材に装着されていることを特徴とする請求項１乃至請求項３のいずれか１項に記載のエレベータのかご。
【請求項５】
上記敷設パネル群の縁部を構成する上記床パネルには、側面に開口する掛け穴が形成されていることを特徴とする請求項１乃至請求項４のいずれか１項に記載のエレベータのかご。
【発明の詳細な説明】
【技術分野】
【０００１】
この発明は、エレベータのかごに関し、特に床パネルが床部材に敷きつめられてなるかご床構造に関する。
【背景技術】
【０００２】
従来のエレベータかごは、かご床、及びかご床に敷かれた床タイルを備えている（例えば、特許文献１参照）。
【０００３】
【特許文献１】実開昭６３−１６７４７５号公報
【発明の開示】
【発明が解決しようとする課題】
【０００４】
特許文献１には詳細には記載されていないが、従来のエレベータかごにおいて、床タイルは、接着剤によってかご床に貼りつけられるのが一般的である。
このため、床タイルをかご床に貼り付ける作業において、接着剤が床タイルの継ぎ目から滲みでた場合、接着剤を綺麗にふき取る必要があり、作業効率が低下するという問題があった。
【０００５】
また、床タイルを交換する場合、接着剤でかご床に貼り付けた床タイルをかご床から剥がす作業は容易ではない。つまり、床タイルの交換には長時間を要するので床タイルの交換費用が高くなるという問題があった。
【０００６】
この発明は、上記の問題を解決するためになされたものであり、接着剤を用いることなく床パネルを床部材上に安定して保持することが可能であり、かつ、床部材に対して床パネルを容易に着脱することが可能なかご床を有するエレベータのかごを得ることを目的とする。
【課題を解決するための手段】
【０００７】
この発明によるエレベータのかごは、かご枠、及びかご枠に支持されたかご床を有するかご室を有し、かご床は、敷設面を上面に有する磁性鋼材からなる床部材と、永久磁石が装着された床パネルを敷設面に敷きつめてなる敷設パネル群と、を備えている。
【発明の効果】
【０００８】
この発明によれば、床パネルが、永久磁石の磁力により床部材に引き寄せられて、床パネルを床部材の敷設面に安定して保持できるとともに、床パネルを容易に床部材から着脱することが可能となる。これにより、床パネルの敷設時の作業効率が向上し、また、床パネルの交換にかかる費用を削減できる。
【発明を実施するための最良の形態】
【０００９】
以下、この発明を実施するための最良の形態について、図面を参照して説明する。
図１はこの発明の一実施の形態に係るかごを有するエレベータの模式図、図２はこの発明の一実施の形態に係るエレベータのかごの斜視図、図３はこの発明の一実施の形態に係るエレベータのかごのかご室内をかご出入り口と反対側から見た正面図、図４はこの発明の一実施の形態に係るエレベータのかごのかご室内をかご出入り口側から見た正面図、図５はこの発明の一実施の形態に係るエレベータのかごのかご床の要部断面図、図６はこの発明の一実施の形態に係るエレベータのかごのかご床の第１床パネルの断面図、図７はこの発明の一実施の形態に係るエレベータのかごのかご床の第２床パネルの断面図、図８はこの発明の一実施の形態に係るエレベータのかごのかご床の意匠面を更新するときの作業を説明する図である。
【００１０】
まず、エレベータ１の主要構成について説明する。
図１において、エレベータ１は、昇降路２の上部に設置される機械室３と、機械室３に配設され、駆動綱車６及び駆動モータ（図示せず）を有する巻上機５と、機械室３に配設されたそらせ車７と、駆動綱車６及びそらせ車７に掛け渡されて昇降路２に垂下されたメインロープ８と、メインロープ８の一端に連結されたかご１１と、メインロープ８の他端に連結されたつり合いおもり９と、を備えている。
そして、駆動モータは、駆動綱車６と連結され、駆動モータの回転トルクは駆動綱車６に伝達されるようになっている。そして、駆動モータの駆動により駆動綱車６が回転するとメインロープ８が走行し、これに連動してかご１１が昇降路２内を昇降する。
【００１１】
次いで、かご１１の詳細について図２〜図５を参照して説明する。
かご１１は、かご枠１２、及びかご枠１２に支持されたかご室１３などで構成されている。
かご枠１２は、鉛直方向に延在し、互いに平行な一対のたて枠１２ａ、たて枠１２ａの上端間を連結するうわ枠１２ｂ、及び一対のたて枠１２ａの下端間を連結するした枠１２ｃを備えている。
【００１２】
かご室１３は、した枠１２ｃに支持されたかご床１６、かご出入り口１４の一側からかご床１６の外縁に沿ってかご出入り口１４の他側に至るように延設された幅木３８、幅木３８の上方でかご床１６に支持されたかご側壁４０、かご側壁４０の上端に固定された天板４２、及びかご出入り口１４を開閉するかご戸４３を有する。そして、かご室１３は、図２に示されるように、かご出入り口１４の間口方向をうわ枠１２ｂ及びした枠１２ｃの長手方向に一致させた状態でした枠１２ｃに支持されている。このとき、かご床１６は、防振材(図示せず）や連結部材（図示せず）などを介してした枠１２ｃに支持されている。なお、かご床１６はした枠１２ｃに直接支持されているものでもよい。
【００１３】
次いで、かご床１６の詳細について説明する。
かご床１６は、敷設面１８ａを上面に有する床部材としての磁性材料の鋼材１７、永久磁石２７が装着された第１床パネル２６Ａと第２床パネル２６Ｂを鋼材１７の敷設面１８ａに敷きつめてなる敷設パネル群２５、及び敷設パネル群２５の鋼材１７上での位置ずれを防止するストッパ３５を備える。
【００１４】
鋼材１７は、敷設パネル群２５を敷設するための敷設面１８ａを一面に有する床本体部１８、及び床本体部１８の外縁から上方に延出する側壁幅木取付部２１を備える。床本体部１８は、その敷設面１８ａが水平になるようにかご枠１２に支持されている。また、側壁幅木取付部２１は、かご出入り口１４の一側からかご床１６の外縁に沿ってかご出入り口１４の他側に至るまでの床本体部１８の外縁の部位から上方に延出している。
【００１５】
そして、複数のスリット１９が、かご出入り口１４の一側からかご床１６の外縁に沿ってかご出入り口１４の他側に至るまでの床本体部１８の外縁近傍の部位に、床本体部１８の外縁に沿った方向に所定の間隔で形成されている。
【００１６】
側壁幅木取付部２１は、床本体部１８の外縁から上方に延出する幅木支持部２２、及び幅木支持部２２の延出端から床本体部１８の内側に水平に延出された側壁固定部２３により構成されている。ここで、幅木支持部２２の敷設面１８ａ側の面を内面とする。
【００１７】
第１床パネル２６Ａは、図６に示されるように、それぞれ一面を意匠面とする第１パネル板２８ａ及び第２パネル板２８ｂと、第１パネル板２８ａ及び第２パネル板２８ｂの他面間に一体に介装された永久磁石２７と、により構成されている。つまり、第１床パネル２６Ａの両面が意匠面として利用可能になっている。
【００１８】
永久磁石２７は正方形の板状であり、第１パネル板２８ａ及び第２パネル板２８ｂの外形も正方形である。そして、永久磁石２７と第１パネル板２８ａ及び第２パネル板２８ｂとは、接着剤などにより貼り付けられている。第１パネル板２８ａ及び第２パネル板２８ｂの材料はやなどで形成されている。また、永久磁石２７、第１パネル板２８ａ、及び第２パネル板２８ｂの主面の面積は同一であり、永久磁石２７と第１パネル板２８ａ及び第２パネル板２８ｂとは、それぞれの外縁を合わせて一体化されている。
【００１９】
また、第１パネル板２８ａの各側面に開口する溝２９ａが、第１パネル板２８ａの永久磁石２７側の面に形成されている。そして、掛け穴３０ａが、溝２９ａと永久磁石２７の一面とで構成されている。
【００２０】
また、第２パネル板２８ｂにも、溝２９ａと同様の溝２９ｂが形成され、掛け穴３０ｂが、溝２９ｂと永久磁石２７の他面とで構成されている。
【００２１】
第２床パネル２６Ｂは、図７に示されるように、第１パネル板２８ａ及び第２パネル板２８ｂに代え、溝２９ａ，２９ｂの形成が省略された第１パネル板２８ｃ及び第２パネル板２８ｄが用いられている他は、第１床パネル２６Ａと同様に構成されている。即ち、第２床パネル２６Ｂも、両面を意匠面として利用可能になっている。
【００２２】
そして、複数の第１床パネル２６Ａが、床本体部１８の外縁から所定の隙間をあけ、床本体部１８の外縁に沿って敷設面１８ａに敷かれている。このとき、第１床パネル２６Ａは、第１パネル板２８ａを上方に向け、隣接する第１床パネル２６Ａの間に隙間を形成することなく敷設面１８ａに敷かれている。つまり、第１床パネル２６Ａが敷設パネル群２５の縁部を構成している。
【００２３】
また、複数の第２床パネル２６Ｂが、第１床パネル２６Ａに囲まれる敷設面１８ａのエリアに敷かれている。このとき、第２床パネル２６Ｂは、第１パネル板２８ｃを上方に向け、隣接する第２床パネル２６Ｂとの間、または隣接する第１床パネル２６Ａとの間に隙間を形成することなく敷設面１８ａに敷かれている。
このとき、第１床パネル２６Ａの側面に形成した掛け穴３０ａのいずれかが、敷設パネル群２５の側面に開口する。
【００２４】
ここで、床本体部１８は磁性材料である鋼材１７の主要部として構成され、第１床パネル２６Ａ及び第２床パネル２６Ｂは、中間層に永久磁石２７を有している。従って、第１床パネル２６Ａ及び第２床パネル２６Ｂが、永久磁石２７の発生する磁力により床本体部１８にひきつけられる。これにより、敷設パネル群２５は敷設面１８ａ上で安定して保持される。
【００２５】
また、床本体部１８のスリット１９のそれぞれは、敷設パネル群２５の縁部直近の床本体部１８の部位に、敷設パネル群２５の縁部に沿って所定間隔で形成されている。このとき、スリット１９は、敷設パネル群２５の縁部を構成する第１床パネル２６Ａの縁部のそれぞれの直近に少なくとも１つ形成されている。
【００２６】
そして、ストッパ３５は、平板形状のずれ規制部３５ａと、ずれ規制部３５ａ側の一端から垂直に延出する掛け部３５ｂとからなるＬ字状に形成されている。
そして、ストッパ３５が、ずれ規制部３５ａの先端をスリット１９のそれぞれに上方から挿入して床本体部１８に取り付けられている。このとき、ずれ規制部３５ａは、敷設パネル群２５の側面と接している。また、掛け部３５ｂは床パネル２６Ａの上面に当接している。これにより、大きな力が第１床パネル２６Ａ及び第２床パネル２６Ｂのいずれかに対して水平な方向に働いても、敷設パネル群２５のスライド移動がストッパ３５により規制され、敷設パネル群２５が敷設面１８ａの所定位置からずれることはない。
【００２７】
幅木３８は板状であり、幅木支持部２２の内面と相対して延設されている。このとき、詳細には図示しないが、係合部材が幅木支持部２２の内面に突設され、幅木支持部２２と相対する幅木３８の面には、被係合部材が係合部材と係合可能に突設されている。そして、被係合部材が係合部材に係合して、幅木３８が幅木支持部２２に安定して支持されている。このとき、幅木３８は床本体部１８の外縁から所定の長さだけ床本体部１８の内側に位置しており、ストッパ３５は幅木３８によって遮蔽されている。
【００２８】
そして、複数のかご側壁４０が側壁固定部２３上に、側壁固定部２３の延在方向、即ち、床本体部１８の外縁に沿った方向にかご出入り口１４を除いて隙間なく配列され、側壁固定部２３にボルト・ナット４１により締着固定されている。そして、天板４２がかご側壁４０の上部に固定され、かご室１３の内部の空間が、かご床１６、幅木３８、かご側壁４０、天板４２、及びかご戸４３に囲まれる空間により構成されている。このとき、かご床１６の意匠面が、第１床パネル２６Ａの第１パネル板２８ａ、及び第２床パネル２６Ｂの第１パネル板２８ｃにより構成されている。なお、かご床１６の意匠面とは、かご室１３内に露出するかご床１６の面とする。
【００２９】
次いで、上記のように構成されたかご床１６の意匠面を更新する作業について説明する。
まず、図８に示されるように、幅木３８を幅木支持部２２から取り外し、ストッパ３５を床本体部１８から抜きとる。そして、ストッパ３５の掛け部３５ｂを、第１床パネル２６Ａの縁部に開口している掛け穴３０ｂに挿入する。そして、ずれ規制部３５ａをペンチ等で把持し、第１床パネル２６Ａが床本体部１８に引き寄せられる方向に働いている磁力に抗してずれ規制部３５ａとともに第１床パネル２６Ａを引っ張り、第１床パネル２６Ａを床本体部１８から取り外す。このとき、幅木支持部２２の近傍に位置する第１床パネル２６Ａでも、幅木支持部２２に邪魔されずに容易に床本体部１８から取り外せる。そして、外した第１床パネル２６Ａはかご側壁４０に立て掛けておく。
【００３０】
次いで、残りの第１床パネル２６Ａを取り外す。また、第２床パネル２６Ｂが床本体部１８に引き寄せられる方向に働いている磁力に抗して第２床パネル２６Ｂを引っ張り、第２床パネル２６Ｂを床本体部１８から取り外す。このとき、第２床パネル２６Ｂは敷設面１８ａの中央側に位置しているので、幅木支持部２２に邪魔されず、ペンチ等を用いなくても容易に床本体部１８から取り外せる。そして、取り外した第１床パネル２６Ａ及び第２床パネル２６Ｂは順次かご側壁４０に立てかける。なお、残りの第１床パネル２６Ａ及び第２床パネル２６Ｂの取り外しの順序は特に規定されるものではない。
【００３１】
そして、取り外した第１床パネル２６Ａ及び第２床パネル２６Ｂのそれぞれを、第２パネル板２８ｂ，２８ｄを上方に向け、敷設面１８ａの元の位置に再度敷きつめる。これにより、第１床パネル２６Ａと第２床パネル２６Ｂが裏返しにされて敷設面１８ａに敷きつめられるので、かご床１６の意匠面が更新される。
【００３２】
そして、ストッパ３５のずれ規制部３５ａの先端をスリット１９に挿入して敷設パネル群２５の位置ずれを防止し、また、幅木３８を幅木支持部２２に支持させることで、かご床１６の意匠面の更新に関わる作業が完了する。
【００３３】
なお、既設の第１床パネル２６Ａ及び第２床パネル２６Ｂに代え、新規の第１床パネル及び第２床パネルでかご床１６の意匠面を更新する場合、まず、取り外した第１床パネル２６Ａ及び第２床パネル２６Ｂをかご室１３の外部に撤去する。そして、新規の第１床パネル及び第２床パネルを、既設の第１床パネル２６Ａ及び第２床パネル２６Ｂと同様に敷設面１８ａに敷きつめる。そして、ストッパ３５をスリット１９に挿入して敷設パネル群２５の位置ずれを防止し、また、幅木３８を幅木支持部２２に支持させることで、かご床１６の意匠面の更新に関わる作業が完了する。
【００３４】
この実施の形態のエレベータ１のかご１１によれば、かご床１６は、敷設面１８ａを上面に有する鋼材１７と、永久磁石２７が装着された第１床パネル２６Ａ及び第２床パネル２６Ｂを敷設面１８ａに敷きつめてなる敷設パネル群２５と、を備えている。
【００３５】
これにより、第１床パネル２６Ａ及び第２床パネル２６Ｂのそれぞれが発生する磁力によって、第１床パネル２６Ａ及び第２床パネル２６Ｂは、鋼材１７に引き寄せられて、第１床パネル２６Ａ及び第２床パネル２６Ｂを鋼材１７の敷設面１８ａの所定位置に安定して保持できるとともに、鋼材１７に対して容易に着脱することが可能となる。
つまり、接着剤を使用することなく、第１床パネル２６Ａ及び第２床パネル２６Ｂを敷設面１８ａに敷きつめることができるので、接着剤をふき取るなどの作業もなくなり、第１床パネル２６Ａ及び第２床パネル２６Ｂを敷設面１８ａに敷きつめて敷設パネル群２５を構成するときのときの作業効率が向上する。
【００３６】
また、第１床パネル２６Ａは、一面を意匠面とする第１パネル板２８ａ及び第２パネル板２８ｂ（一対のパネル板）の他面間に一体に永久磁石２７を介装して構成され、第２床パネル２６Ｂは、一面を意匠面とする第１パネル板２８ｃ及び第２パネル板２８ｄ（一対のパネル板）の他面間に一体に永久磁石２７を介装して構成されている。
つまり、第１床パネル２６Ａ及び第２床パネル２６Ｂは両面に意匠面を有するので、取り外した第１床パネル２６Ａ及び第２床パネル２６Ｂを裏返して再度敷設面１８ａに敷きつめるだけで、かご床１６の意匠面を更新することができる。
【００３７】
また、第１床パネル２６Ａ及び第２床パネル２６Ｂを裏返してかご床１６の意匠面を更新する場合、及び既設の第１床パネル２６Ａ及び第２床パネル２６Ｂを新規の第１床パネル及び第２床パネルに交換する場合のいずれにしても、第１床パネル２６Ａ及び第２床パネル２６Ｂを取り外すのに要する作業時間が短縮されるので、第１床パネル２６Ａ及び第２床パネル２６Ｂを裏返したり交換したりするのにかかるコストを削減できる。即ち、かご床１６の意匠面の更新にかかるコストを削減することができる。
【００３８】
さらに、第１床パネル２６Ａ及び第２床パネル２６Ｂを容易に鋼材１７から取り外すことが可能であるので、かご床１６の意匠面の見栄えが悪くなったり損傷したりしたときに、迅速にかご床１６の意匠面を更新できる。
また、かご床１６の意匠面の更新にかかるコストが削減でき、第１床パネル２６Ａ及び第２床パネル２６Ｂの取り外しも容易であるので、かご床１６の意匠面の見栄えが悪いまま放置して利用者に不快感を抱かせることがなくなる。
【００３９】
さらに、敷設パネル群２５のスライド移動を規制するストッパ３５が鋼材１７に装着されているので、敷設パネル群２５の敷設面１８ａの所定位置からのずれをより確実に防止することができる。
【００４０】
敷設パネル群２５の縁部を構成する第１床パネル２６Ａには、側面に開口する掛け穴３０ａ，３０ｂが形成されている。掛け穴３０ａ，３０ｂに、ストッパ３５の掛け部３５ｂを引っ掛けて、ずれ規制部３５ａをペンチ等を用いて引っ張ることにより、幅木支持部２２に邪魔されずに容易に第１床パネル２６Ａを床本体部１８から取り外せる。
【００４１】
なお、この実施の形態では、第１床パネル２６Ａ及び第２床パネル２６Ｂのそれぞれは、一面を意匠面とする一対のパネル板の他面間に永久磁石２７を一体化して構成されるものとして説明した。
しかし、第１床パネル及び第２床パネルのそれぞれは一面を意匠面とするパネル板の他面に一体に永久磁石２７を装着して構成されているものでもよい。
この場合、第１床パネル及び第２床パネルの一面のみが、かご床１６の意匠面として利用されるが、第１床パネル及び第２床パネルの床本体部１８からの取り外しが容易になる効果が損なわれるものではない。
【００４２】
但し、第１床パネル２６Ａ及び第２床パネル２６Ｂのように床パネルの両面を意匠面として利用した場合、第１床パネル２６Ａ及び第２床パネル２６Ｂのかご室１３内への運び込みは、２回のかご床１６の意匠面の更新に対して１回で済む。これにより、一面のみを意匠面として利用する床パネルを用いてかご床が構成されるものに比べ、第１床パネル２６Ａ及び第２床パネル２６Ｂを用いて構成されたかご床１６では、同じ頻度でかご床１６の意匠面を更新し続けたときの第１床パネル２６Ａ及び第２床パネル２６Ｂの運搬にかかるコストを低減できる。
さらに、一面のみを意匠面として利用する床パネルを用いて構成したかご床に比べ、第１床パネル２６Ａ及び第２床パネル２６Ｂのように床パネルの両面を意匠面として利用した場合、同じ頻度でかご床１６の意匠面を更新し続けたときの床パネルの廃棄量を削減することができる。
【００４３】
また、ストッパ３５が、敷設パネル群２５の外縁直近の床本体部１８の部位に装着されるものとして説明したが、永久磁石２７の磁力が十分であり、敷設パネル群２５が敷設面１８ａに沿ってスライド移動する恐れがなければ、ストッパ３５の装着は省略してもよい。
【００４４】
また、第１床パネル２６Ａには、掛け穴３０ａ，３０ｂを構成するものとして説明したが、掛け穴３０ａ，３０ｂを利用せずとも第１床パネル２６Ａを床本体部１８から取り外せれば、掛け穴３０ａ，３０ｂは省略してもよい。つまり、第１床パネル２６Ａに代え、第２床パネル２６Ｂを用いてもよい。
【００４５】
また、永久磁石２７と第１パネル板２８ａ，２８ｃ及び第２パネル板２８ｂ，２８ｄの主面の面積は同一であるものとして説明したが、永久磁石は、第１パネル板２８ａ，２８ｃ及び第２パネル板２８ｂ，２８ｄの主面の面積より小さな主面の面積を有するものを用いてもよい。但し、永久磁石の磁力によって、第１床パネル及び第２床パネルを床本体部１８に安定して保持できることが条件となる。
【００４６】
また、掛け穴３０ａ，３０ｂは、敷設パネル群２５を構成する第１床パネル２６Ａの第１パネル板２８ａ及び第２パネル板２８ｂに形成した溝２９ａ，２９ｂと永久磁石２７とで構成するものとして説明したが、掛け穴は、第１パネル板２８ａ、第２パネル板２８ｂ、及び永久磁石２７の側面の少なくとも一つに開口するように形成されていてもよい。つまり、掛け穴は、第１パネル板２８ａ及び第２パネル板２８ｂの溝２９ａ，２９ｂと永久磁石２７の協働により構成されていなくてもよく、敷設パネル群２５の縁部を構成する第１床パネル２６Ａの側面に開口するように形成されていればよい。
【００４７】
また、敷設パネル群２５は、正方形のパネル板２８ａ，２８ｃ（２８ｂ，２８ｄ）を永久磁石２７に貼り付けて構成した正方形の床パネル２６Ａ（２６Ｂ）を敷設面１８ａに敷きつめて構成するものとして説明したが、敷設パネル群は、正方形の床パネルを敷設面１８ａに敷きつめて構成するものに限定されず、長方形、三角形、及び五角形など他の形状の床パネルを敷設面１８ａに敷きつめて構成してもよい。
また敷設パネル群は同一形状の床パネルを敷きつめて構成するものに限定されない。例えば、敷設パネル群は、凹形状の床パネルと凸形状の床パネルを、凹凸を嵌合させつつ敷設面１８ａに敷きつめて構成してもよい。
【図面の簡単な説明】
【００４８】
【図１】この発明の一実施の形態に係るかごを有するエレベータの模式図である。
【図２】この発明の一実施の形態に係るエレベータのかごの斜視図である。
【図３】この発明の一実施の形態に係るエレベータのかごのかご室内をかご出入り口と反対側から見た正面図である。
【図４】この発明の一実施の形態に係るエレベータのかごのかご室内をかご出入り口側から見た正面図である。
【図５】この発明の一実施の形態に係るエレベータのかごのかご床の要部断面図である。
【図６】この発明の一実施の形態に係るエレベータのかごのかご床の第１床パネルの断面図である。
【図７】この発明の一実施の形態に係るエレベータのかごのかご床の第２床パネルの断面図である。
【図８】この発明の一実施の形態に係るエレベータのかごのかご床の意匠面を更新するときの作業を説明する図である。
【符号の説明】
【００４９】
１  エレベータ、１１  かご、１２  かご枠、１３  かご室、１６  かご床、１７  鋼材（床部材）、１８ａ  敷設面、２５  敷設パネル群、２６Ａ，２６Ｂ  床パネル、２７  永久磁石、３０ａ，３０ｂ  掛け穴、３５  ストッパ。
【図１】
2010126359.tif 000003
【図２】
2010126359.tif 000004
【図３】
2010126359.tif 000005
【図４】
2010126359.tif 000006
【図５】
2010126359.tif 000007
【図６】
2010126359.tif 000008
【図７】
2010126359.tif 000009
【図８】
2010126359.tif 000010